(57)【要約】【課題】マンコンベアの移動手すりがスカートガードに進入する部分に設けるインレットを、手や指が引き込まれにくく、かつ引き抜きやすいものにする。【解決手段】スカートガード４に移動手すり３が進入する筒状のインレット５を設ける。インレット５の前面壁５ａ及び内部のリブ５ｃを前方へ突出する先細形状に形成する。手や指が前面壁５ａ又はリブ５ｃに当たった際、前面壁５ａやリブ５ｃが移動手すり３との間のすき間６ａ，６ｂが小さくなるように変形するため、手や指がインレット５の奥に入りにくくなる。また、万が一手や指がインレット５の奥に入り、引き抜こうとした場合には、前面壁５ａやリブ５ｃが広がるように変形するため、抜けやすくなる。【選択図】      図３
2004359394.tif 000002
【特許請求の範囲】
【請求項１】
マンコンベアの欄干の外周を移動する移動手すりと、上記欄干の下部に設置され上記移動手すりが進入するスカートガードと、このスカートガードに設けられ上記移動手すりが通過する筒状のインレットとを備え、このインレットの前面壁を前方へ突出する先細形状に形成してなるマンコンベアの移動手すり出入口装置。
【請求項２】
マンコンベアの欄干の外周を移動する移動手すりと、上記欄干の下部に設置され上記移動手すりが進入するスカートガードと、このスカートガードに設けられ上記移動手すりが通過する筒状のインレットとを備え、このインレットの内部にこのインレットの内部を横断し、かつ上記移動手すりが通過するリブを形成するとともに、上記インレットの前面壁及び上記リブの少なくとも一方を前方へ突出する先細形状に形成してなるマンコンベアの移動手すり出入口装置。
【請求項３】
請求項１記載のインレットの前面壁の先端部、又は請求項２記載のインレットの前面壁及びリブの少なくとも一方の先端部に丸みを形成したことを特徴とするマンコンベアの移動手すり出入口装置。
【請求項４】
請求項１記載のインレットの前面壁、又は請求項２記載のインレットの前面壁及びリブの少なくとも一方を上記インレットの外周壁よりも柔軟に形成したことを特徴とするマンコンベアの移動手すり出入口装置。
【請求項５】
インレットを、人に注意を促す色に着色したことを特徴とする請求項１〜請求項４のいずれかに記載のマンコンベアの移動手すり出入口装置。
【発明の詳細な説明】
【０００１】
【発明の属する技術分野】
この発明は、マンコンベアの移動手すりがスカートガードに進入する部分に設けられ、人の手や指の引き込まれを防止する装置に関するものである。
【０００２】
【従来の技術】
従来のマンコンベアの移動手すり出入口装置においては、ハンドレール出入口部スカートガードの外側にインレットを設け、このインレットの周囲壁の少なくとも一つをその前壁面よりも前方に突き出すように構成している（例えば、特許文献１参照）。
【０００３】
【特許文献１】
特開昭５０−５４０８７号公報（特許請求の範囲、第４図、第５図）
【０００４】
【発明が解決しようとする課題】
上記のような従来のマンコンベアの移動手すり出入口装置では、インレットの前壁面は移動手すりに対しほぼ垂直に設けられているため、人の手や指がインレットの前壁面に当たった際、前壁面が移動手すりの移動方向へ容易にたわんでしまい、手や指がインレットの奥へ入りやすく、また入った手や指を抜こうとした場合には、前壁面が引っ掛かる方向となり、抜けにくいという問題点がある。
【０００５】
この発明は上記問題点を解消するためになされたもので、インレット内に手や指が入りにくく、万が一手や指が入ったとしても抜けやすくすることができるようにしたマンコンベアの移動手すり出入口装置を提供することを目的とする。
【０００６】
【課題を解決するための手段】
この発明に係るマンコンベアの移動手すり出入口装置は、移動手すりが進入するスカートガードに、移動手すりが通過する筒状のインレットを備え、このインレットの前面壁を前方へ突出する先細形状に形成したものである。
【０００７】
【発明の実施の形態】
実施の形態１．
図１〜図５はこの発明の第１及び第２発明の一実施の形態を示す図で、図１は移動手すり出入口部の側面図、図２は図１のＩＩ−ＩＩ線断面図、図３は図２のＩＩＩ−ＩＩＩ線断面図、図４及び図５はインレット部の動作説明図であり、図中同一符号は同一部分を示す。（以下の実施の形態も同じ。）
【０００８】
図１〜図３において、マンコンベア（エスカレータ、移動歩道等）の乗り口と降り口の間の両側には欄干１が立設され、この欄干１の下部に踏段２が配置されている。欄干１の外周には、踏段２と同期して移動する移動手すり３が配置され、欄干１の下部にはスカートガード４が設けられ、移動手すり３はスカートガード４の前面からその内部へ入り込むように構成されている。移動手すり３がスカートガード４の前面へ入り込む部分には、合成ゴム等で形成されたほぼ筒状のインレット５が、移動手すり３を覆うように取りつけられている。
【０００９】
インレット５は前面壁５ａ及び外周壁５ｂを有し、内部空間を横断して外周壁５ｂに結合されたリブ５ｃを有している。前面壁５ａ及びリブ５ｃはそれぞれスカートガード４の前方へ突出する先細形状に形成され、移動手すり３が遊通されており、前面壁５ａと移動手すり３との間にはすき間６ａが形成され、リブ５ｃと移動手すり３との間にはすき間６ｂが形成されている。また、外周壁５ｂの後部はスカートガード４内に挿入され、移動台７にボルト８で固定されている。
【００１０】
一方、スカートガード４には固定台９がボルト１０で固着され、固定台９はローラ１１を介して、移動台７を移動手すり３の長手方向へ移動可能に支持している。また、移動台７が所定位置まで移動すると動作する検出スイッチ１２が設置されている。
【００１１】
次に、この実施の形態の動作を図４及び図５を参照して説明する。
マンコンベアが運転されると、踏段２と移動手すり３とは同期して移動する。今、移動手すり３が矢印Ａ方向へ移動しているとすると、移動手すり３はインレット５からスカートガード４の内部へと進入していく。
このとき、図４に示すように、手や指１３が矢印Ｂ方向へ動いて、前面壁５ａやリブ５ｃと移動手すり３とのすき間６ａ，６ｂに差し込まれようとした場合、前面壁５ａやリブ５ｃがすき間６ａ，６ｂをふさぐように変形するため、手や指１３はインレット５内に入り込みにくい。
【００１２】
次に、図５に示すように、万が一手や指１３がインレット５内に入り込み、矢印Ｃ方向へ引き抜こうとした場合、前面壁５ａやリブ５ｃは前方へ広がる方向へ変形するため、手や指１３は引き抜きやすくなる。
なお、手や指１３がインレット５内に引き込まれる際、インレット５及び移動台７はローラ１１の転動により固定台９上を移動し、検出スイッチ１２が動作してマンコンベアは停止する。
【００１３】
上記実施の形態では、インレット５の前面壁５ａ及びリブ５ｃをそれぞれ前方へ突出する先細形状に形成するものとしたが、これを前面壁５ａ及びリブ５ｃの一方だけに適用しても十分有用である。また、インレット５内にリブ５ｃを設けない場合に、前面壁５ａだけに適用してもよいことは明白である。
【００１４】
このようにして、手や指１３がインレット５の前面壁５ａ又はリブ５ｃに当たった際、前面壁５ａやリブ５ｃが移動手すり３との間のすき間６ａ，６ｂが小さくなるように変形するため、手や指１３がインレット５の奥に入りにくく、また万が一手や指１３がインレット５の奥に入り、引き抜こうとした場合には、前面壁５ａやリブ５ｃが広がるように変形するため、抜けやすくすることが可能となる。
【００１５】
実施の形態２
図６はこの発明の第３発明の一実施の形態を示す断面図で図３相当図である。なお、図１及び図２は実施の形態２にも共用する。
この実施の形態は、図６に示すようにインレット５の前面壁５ａの先端角部に丸み５ｄをつけ、リブ５ｃの先端角部に丸み５ｅをつけたものであり、他は実施の形態１と同様である。
このようにして、万が一手や指１３がインレット５内に入り込んだ際、前面壁５ａやリブ５ｃの先端角部で受傷することを防止できる。
【００１６】
実施の形態３
この発明の第４発明の一実施の形態であり、インレット５の前面壁５ａ及びリブ５ｃの硬度を低く、すなわち外周壁５ｂよりも柔軟な材料で形成したものであり、他は実施の形態１又は実施の形態２と同様である。
このようにして、万が一手や指１３がインレット５内に入り込んだ際、当接する部分が柔軟なため、受傷することを防止できる。
【００１７】
実施の形態４
この発明の第５発明の一実施の形態であり、インレット５の色を人の注意を促す色（例えば黄色）にしたものであり、他は実施の形態１〜実施の形態３と同様である。
このようにして、インレット５を着色することにより、人を近付けにくくして、人がインレット５に接触しないように警告することが可能となる。
【００１８】
【発明の効果】
以上説明したとおりこの発明では、移動手すりが進入するスカートガードに、移動手すりが通過する筒状のインレットを備え、このインレットの前面壁を前方へ突出する先細形状に形成したので、この先細形状部の変形により、手や指がインレットの奥に入りにくく、また抜きやすくすることができる。
【図面の簡単な説明】
【図１】この発明の実施の形態１を示す移動手すり出入口部の側面図。
【図２】図１のＩＩ−ＩＩ線断面図。
【図３】図２のＩＩＩ−ＩＩＩ線断面図。
【図４】この発明の実施の形態１を示す引き込まれ時のインレット部の動作説明図。
【図５】この発明の実施の形態１を示す引き抜き時のインレット部の動作説明図。
【図６】この発明の実施の形態２を示すインレット部の縦断面図で、図３相当図
。
【符号の説明】
１欄干、３移動手すり、４スカートガード、５インレット、５ａ前面壁、５ｂ外周壁、５ｃリブ、５ｅ，５ｄ丸み、６ａ，６ｂすき間。
【図１】
2004359394.tif 000003
【図２】
2004359394.tif 000004
【図３】
2004359394.tif 000005
【図４】
2004359394.tif 000006
【図５】
2004359394.tif 000007
【図６】
2004359394.tif 000008